(57)【特許請求の範囲】
【請求項１】
実体物と映像とをコラボレーションしたパフォーマンスを行う際に用いる舞台装置であって、
観客席側に正面を向けて、舞台の上に配置された透明スクリーンと、
前記透明スクリーンの正面側に配置され、前記透明スクリーンに映像を投影するプロジェクタと、
前記舞台上の前記透明スクリーンの背面側に設けられた演技空間に存在する実体物を照明する機能を有し、点灯状態と消灯状態とを選択的にとることができる演技空間照明装置と、
前記プロジェクタからの投影光を吸収して遮蔽する材質を有し、前記観客席からの視界から前記演技空間を覆い隠すことが可能な形状および大きさをもった遮蔽幕と、
前記舞台上の、少なくとも、前記演技空間の背面に配置された吸光性層と、
を備え、
前記遮蔽幕は、前記観客席からの視界から前記演技空間を覆い隠すように、前記透明スクリーンと前記演技空間との間に配置された遮蔽状態と、前記観客席からの前記演技空間に対する視界を妨げないように配置された退避状態と、を選択的にとることができることを特徴とする舞台装置。
【請求項２】
請求項１に記載の舞台装置において、
遮蔽幕が、演技空間を覆い隠すことが可能な大きさの矩形状黒色幕によって構成されており、
前記矩形状黒色幕の上辺を舞台上の所定の高さ位置に保持する保持具を更に備え、
前記保持具によって前記矩形状黒色幕を保持することにより遮蔽状態をとり、前記保持具による保持を解除して前記矩形状黒色幕を舞台上に落下させることにより退避状態をとることを特徴とする舞台装置。
【請求項３】
請求項１に記載の舞台装置において、
遮蔽幕が、演技空間を覆い隠すことが可能な大きさの矩形状黒色幕によって構成されており、
前記矩形状黒色幕を舞台上の所定の高さ位置に吊り上げる巻上装置を更に備え、
前記巻上装置によって前記矩形状黒色幕の吊り上げ高さを変えることにより、遮蔽状態と退避状態とを切り替えることを特徴とする舞台装置。
【請求項４】
請求項１〜３のいずれかに記載の舞台装置において、
遮蔽幕および吸光性層が、黒色の材料によって構成されていることを特徴とする舞台装置。
【請求項５】
請求項１〜４のいずれかに記載の舞台装置において、
プロジェクタが、透明スクリーンに対して斜め上方から投影を行う位置に配置されており、
吸光性層が、演技空間の背面とともに、舞台の床面に配置されていることを特徴とする舞台装置。
【請求項６】
実体物と映像とをコラボレーションしたパフォーマンスを行う際に、前記実体物を舞台上に出現させる方法であって、
前記舞台の上に、観客席側に正面を向けて透明スクリーンを配置するスクリーン配置段階と、
前記透明スクリーンの正面側に、前記透明スクリーンに映像を投影するプロジェクタを配置するプロジェクタ配置段階と、
前記舞台上の前記透明スクリーンの背面側に設けられた演技空間に存在する実体物を照明する機能を有し、点灯状態と消灯状態とを選択的にとることができる演技空間照明装置を準備する照明装置準備段階と、
前記プロジェクタからの投影光を吸収して遮蔽する材質を有し、前記観客席からの視界から前記演技空間を覆い隠すことが可能な形状および大きさをもった遮蔽幕を用意する遮蔽幕用意段階と、
前記舞台上の、少なくとも、前記演技空間の背面に、吸光性層を配置する吸光性層配置段階と、
を有する舞台設定プロセスを実行した後に、
前記遮蔽幕を、前記透明スクリーンと前記演技空間との間に、前記観客席からの視界から前記演技空間を覆い隠すように配置する遮蔽幕配置段階と、
前記演技空間照明装置を消灯状態にする照明消灯段階と、
前記演技空間内に前記実体物を配置する実体物配置段階と、
前記プロジェクタにより、前記透明スクリーンに映像を投影する映像投影段階と、
少なくとも、前記遮蔽幕配置段階、前記照明消灯段階、および前記実体物配置段階を行った後に、前記遮蔽幕を、前記観客席からの前記演技空間に対する視界を妨げない位置まで退避させる遮蔽幕退避段階と、
前記遮蔽幕退避段階の後に、前記演技空間照明装置を点灯状態にする照明点灯段階と、
を有するパフォーマンス実行プロセスを実行することを特徴とする舞台上での実体物の出現方法。
【請求項７】
請求項６に記載の出現方法において、
遮蔽幕配置段階では、遮蔽幕の上辺を舞台上の所定の高さ位置に保持し、前記遮蔽幕を前記上辺から垂下させることにより、前記遮蔽幕が演技空間を覆い隠すようにし、
遮蔽幕退避段階では、前記遮蔽幕の保持を解除して舞台床面に落下させることにより、前記遮蔽幕を退避させることを特徴とする舞台上での実体物の出現方法。
【請求項８】
請求項６または７に記載の出現方法において、
遮蔽幕配置段階、照明消灯段階、実体物配置段階、および映像投影段階を行った後に、透明スクリーンへの映像投影を継続したまま遮蔽幕退避段階および照明点灯段階を行い、照明点灯段階の後にも引き続き透明スクリーンへの映像投影が行われるようにすることを特徴とする舞台上での実体物の出現方法。
【請求項９】
実体物と映像とをコラボレーションしたパフォーマンスを行う際に、前記実体物を舞台上から消失させる方法であって、
前記舞台の上に、観客席側に正面を向けて透明スクリーンを配置するスクリーン配置段階と、
前記透明スクリーンの正面側に、前記透明スクリーンに映像を投影するプロジェクタを配置するプロジェクタ配置段階と、
前記舞台上の前記透明スクリーンの背面側に設けられた演技空間に存在する実体物を照明する機能を有し、点灯状態と消灯状態とを選択的にとることができる演技空間照明装置を準備する照明装置準備段階と、
前記プロジェクタからの投影光を吸収して遮蔽する材質を有し、前記観客席からの視界から前記演技空間を覆い隠すことが可能な形状および大きさをもった遮蔽幕を用意する遮蔽幕用意段階と、
前記舞台上の、少なくとも、前記演技空間の背面に、吸光性層を配置する吸光性層配置段階と、
を有する舞台設定プロセスを実行した後に、
前記遮蔽幕を、前記観客席からの前記演技空間に対する視界を妨げない位置に配置する遮蔽幕配置段階と、
前記演技空間照明装置を点灯状態にする照明点灯段階と、
前記演技空間内に前記実体物を配置する実体物配置段階と、
前記プロジェクタにより、前記透明スクリーンに映像を投影する映像投影段階と、
少なくとも、前記遮蔽幕配置段階、前記照明点灯段階、および前記実体物配置段階を行った後に、前記演技空間照明装置を消灯状態にする照明消灯段階と、
前記照明消灯段階の後に、前記遮蔽幕を、前記透明スクリーンと前記演技空間との間の、前記観客席からの視界から前記演技空間を覆い隠す位置に移動する遮蔽幕移動段階と、
を有するパフォーマンス実行プロセスを実行することを特徴とする舞台上での実体物の消失方法。
【請求項１０】
請求項９に記載の消失方法において、
遮蔽幕配置段階では、遮蔽幕を、透明スクリーンと演技空間との間の舞台床面上に寝かした状態で配置し、
遮蔽幕移動段階では、前記遮蔽幕の上辺を舞台上の所定の高さ位置まで持ち上げ、前記遮蔽幕を前記上辺から垂下させることにより、前記遮蔽幕が前記演技空間を覆い隠すようにすることを特徴とする舞台上での実体物の消失方法。
【請求項１１】
請求項９または１０に記載の消失方法において、
遮蔽幕配置段階、照明点灯段階、実体物配置段階、および映像投影段階を行った後に、透明スクリーンへの映像投影を継続したまま照明消灯段階および遮蔽幕移動段階を行い、遮蔽幕移動段階の後にも引き続き透明スクリーンへの映像投影が行われるようにすることを特徴とする舞台上での実体物の消失方法。
【発明の詳細な説明】
【技術分野】
【０００１】
本発明は、舞台装置および舞台上での物体の出現・消失方法に関し、特に、映像と実体物とをコラボレーションしたマジックショーなどを演じる舞台上において、実体物の出現・消失を行うための装置および方法に関する。
【背景技術】
【０００２】
最近、映像と実体物とをコラボレーションした舞台演出が脚光を浴びている。このような演出を行うためには、通常、舞台周辺にプロジェクタを配置し、このプロジェクタから舞台に向けて映像を投影する手法が用いられる。この手法を利用すれば、観客席からは、舞台上の実体物（演技者や実在する小道具など）とともに、投影した映像が見えるため、映像と実体物とをコラボレーションした舞台演出が可能になる。
【０００３】
このように、映像と実体物とをコラボレーションした演出を行う舞台装置として、たとえば、下記の特許文献１には、観客側空間と舞台側空間との間に透明スクリーンを配置し、この透明スクリーンにプロジェクタから映像を投影する方式の舞台装置が開示されている。観客には、透明スクリーン上に投影された映像と、透明スクリーンごしの演技者とが、コラボレーションした状態で観察されることになる。
【０００４】
また、下記の特許文献２には、舞台後方に、背景イメージ表示用の後方スクリーンを配置し、舞台前方に、セラミックボールレンズによってコーティングされた格子状網構造の前方スクリーンを配置し、前方スクリーンにホログラムイメージを投影することにより、現実と仮想とが融合した環境での公演を可能とする舞台装置が開示されている。
【０００５】
一方、上述したような舞台演出に利用可能な透明スクリーンの具体的な構造や材質は、たとえば、下記の特許文献３や特許文献４に開示されており、様々な製品が市場に流通している。
【先行技術文献】
【特許文献】
【０００６】
【特許文献１】特開２０１２−２４１７２号公報
【特許文献２】特表２０１８−５２２６０９号公報
【特許文献３】特開２０１８−１８０３３１号公報
【特許文献４】特開２０１９−３２４１４号公報
【発明の概要】
【発明が解決しようとする課題】
【０００７】
上述したように、映像と実体物とをコラボレーションした舞台演出を行うための舞台装置は、種々の形態のものが知られており、既に実用化されている。しかしながら、これら従来の舞台装置は、観客に対して、実体物（演技者）と映像との双方を提示することは可能であるが、舞台上で、実体物を出現させたり、消失させたりする演出を行うことは困難である。このため、前述した従来の舞台装置は、マジックの分野で利用するには、必ずしも十分な機能を備えているとは言えない。
【０００８】
物体が出現したり、消失したりする現象は、マジックの基本現象であり、このような現象を含む演出は、マジックショーの定番というべきものになる。特に、舞台上でマジックショーを演じる場合、演技者（マジシャン）自身が出現したり、消失したりする演出は、観客の注目の的となり大喝采の対象にもなる。時には、ライオンや象などの動物や、自動車などの大型物体を出現させたり、消失させたりする演出も行われている。
【０００９】
そこで本発明は、映像と実体物とをコラボレーションした舞台上において、実体物が出現もしくは消失する演出を行うことができる舞台装置を提供することを目的とする。
【課題を解決するための手段】
【００１０】
(1)   本発明の第１の態様は、実体物と映像とをコラボレーションしたパフォーマンスを行う際に用いる舞台装置において、
観客席側に正面を向けて、舞台の上に配置された透明スクリーンと、
この透明スクリーンの正面側に配置され、透明スクリーンに映像を投影するプロジェクタと、
舞台上の透明スクリーンの背面側に設けられた演技空間に存在する実体物を照明する機能を有し、点灯状態と消灯状態とを選択的にとることができる演技空間照明装置と、
プロジェクタからの投影光を吸収して遮蔽する材質を有し、観客席からの視界から演技空間を覆い隠すことが可能な形状および大きさをもった遮蔽幕と、
舞台上の、少なくとも、演技空間の背面に配置された吸光性層と、
を設け、
遮蔽幕が、観客席からの視界から演技空間を覆い隠すように、透明スクリーンと演技空間との間に配置された遮蔽状態と、観客席からの演技空間に対する視界を妨げないように配置された退避状態と、を選択的にとることができるようにしたものである。
【００１１】
(2)   本発明の第２の態様は、上述した第１の態様に係る舞台装置において、
遮蔽幕を、演技空間を覆い隠すことが可能な大きさの矩形状黒色幕によって構成し、
この矩形状黒色幕の上辺を舞台上の所定の高さ位置に保持する保持具を更に設け、
この保持具によって矩形状黒色幕を保持することにより遮蔽状態をとり、保持具による保持を解除して矩形状黒色幕を舞台上に落下させることにより退避状態をとることができるようにしたものである。
【００１２】
(3)   本発明の第３の態様は、上述した第１の態様に係る舞台装置において、
遮蔽幕を、演技空間を覆い隠すことが可能な大きさの矩形状黒色幕によって構成し、
この矩形状黒色幕を舞台上の所定の高さ位置に吊り上げる巻上装置を更に設け、
この巻上装置によって矩形状黒色幕の吊り上げ高さを変えることにより、遮蔽状態と退避状態とを切り替えることができるようにしたものである。
【００１３】
(4)   本発明の第４の態様は、上述した第１〜第３の態様に係る舞台装置において、
遮蔽幕および吸光性層を、黒色の材料によって構成したものである。
【００１４】
(5)   本発明の第５の態様は、上述した第１〜第４の態様に係る舞台装置において、
プロジェクタを、透明スクリーンに対して斜め上方から投影を行う位置に配置し、
吸光性層を、演技空間の背面とともに、舞台の床面に配置するようにしたものである。
【００１５】
(6)   本発明の第６の態様は、実体物と映像とをコラボレーションしたパフォーマンスを行う際に、実体物を舞台上に出現させる舞台上での実体物の出現方法において、
舞台の上に、観客席側に正面を向けて透明スクリーンを配置するスクリーン配置段階と、
この透明スクリーンの正面側に、透明スクリーンに映像を投影するプロジェクタを配置するプロジェクタ配置段階と、
舞台上の透明スクリーンの背面側に設けられた演技空間に存在する実体物を照明する機能を有し、点灯状態と消灯状態とを選択的にとることができる演技空間照明装置を準備する照明装置準備段階と、
プロジェクタからの投影光を吸収して遮蔽する材質を有し、観客席からの視界から演技空間を覆い隠すことが可能な形状および大きさをもった遮蔽幕を用意する遮蔽幕用意段階と、
舞台上の、少なくとも、演技空間の背面に、吸光性層を配置する吸光性層配置段階と、
を有する舞台設定プロセスを実行した後に、
遮蔽幕を、透明スクリーンと演技空間との間に、観客席からの視界から演技空間を覆い隠すように配置する遮蔽幕配置段階と、
演技空間照明装置を消灯状態にする照明消灯段階と、
演技空間内に実体物を配置する実体物配置段階と、
プロジェクタにより、透明スクリーンに映像を投影する映像投影段階と、
少なくとも、遮蔽幕配置段階、照明消灯段階、および実体物配置段階を行った後に、遮蔽幕を、観客席からの演技空間に対する視界を妨げない位置まで退避させる遮蔽幕退避段階と、
遮蔽幕退避段階の後に、演技空間照明装置を点灯状態にする照明点灯段階と、
を有するパフォーマンス実行プロセスを実行するようにしたものである。
【００１６】
(7)   本発明の第７の態様は、上述した第６の態様に係る舞台上での実体物の出現方法において、
遮蔽幕配置段階では、遮蔽幕の上辺を舞台上の所定の高さ位置に保持し、遮蔽幕をその上辺から垂下させることにより、遮蔽幕が演技空間を覆い隠すようにし、
遮蔽幕退避段階では、遮蔽幕の保持を解除して舞台床面に落下させることにより、遮蔽幕を退避させるようにしたものである。
【００１７】
(8)   本発明の第８の態様は、上述した第６または第７の態様に係る舞台上での実体物の出現方法において、
遮蔽幕配置段階、照明消灯段階、実体物配置段階、および映像投影段階を行った後に、透明スクリーンへの映像投影を継続したまま遮蔽幕退避段階および照明点灯段階を行い、照明点灯段階の後にも引き続き透明スクリーンへの映像投影が行われるようにしたものである。
【００１８】
(9)   本発明の第９の態様は、実体物と映像とをコラボレーションしたパフォーマンスを行う際に、実体物を舞台上から消失させる舞台上での実体物の消失方法において、
舞台の上に、観客席側に正面を向けて透明スクリーンを配置するスクリーン配置段階と、
この透明スクリーンの正面側に、透明スクリーンに映像を投影するプロジェクタを配置するプロジェクタ配置段階と、
舞台上の透明スクリーンの背面側に設けられた演技空間に存在する実体物を照明する機能を有し、点灯状態と消灯状態とを選択的にとることができる演技空間照明装置を準備する照明装置準備段階と、
プロジェクタからの投影光を吸収して遮蔽する材質を有し、観客席からの視界から演技空間を覆い隠すことが可能な形状および大きさをもった遮蔽幕を用意する遮蔽幕用意段階と、
舞台上の、少なくとも、演技空間の背面に、吸光性層を配置する吸光性層配置段階と、
を有する舞台設定プロセスを実行した後に、
遮蔽幕を、観客席からの演技空間に対する視界を妨げない位置に配置する遮蔽幕配置段階と、
演技空間照明装置を点灯状態にする照明点灯段階と、
演技空間内に実体物を配置する実体物配置段階と、
プロジェクタにより、透明スクリーンに映像を投影する映像投影段階と、
少なくとも、遮蔽幕配置段階、照明点灯段階、および実体物配置段階を行った後に、演技空間照明装置を消灯状態にする照明消灯段階と、
照明消灯段階の後に、遮蔽幕を、透明スクリーンと演技空間との間の、観客席からの視界から演技空間を覆い隠す位置に移動する遮蔽幕移動段階と、
を有するパフォーマンス実行プロセスを実行するようにしたものである。
【００１９】
(10)  本発明の第１０の態様は、上述した第９の態様に係る舞台上での実体物の消失方法において、
遮蔽幕配置段階では、遮蔽幕を、透明スクリーンと演技空間との間の舞台床面上に寝かした状態で配置し、
遮蔽幕移動段階では、遮蔽幕の上辺を舞台上の所定の高さ位置まで持ち上げ、遮蔽幕をその上辺から垂下させることにより、遮蔽幕が演技空間を覆い隠すようにしたものである。
【００２０】
(11)  本発明の第１１の態様は、上述した第９または第１０の態様に係る舞台上での実体物の消失方法において、
遮蔽幕配置段階、照明点灯段階、実体物配置段階、および映像投影段階を行った後に、透明スクリーンへの映像投影を継続したまま照明消灯段階および遮蔽幕移動段階を行い、遮蔽幕移動段階の後にも引き続き透明スクリーンへの映像投影が行われるようにしたものである。
【発明の効果】
【００２１】
本発明に係る舞台装置では、舞台の前面に透明スクリーンが配置され、この透明スクリーンの背面側に演技空間が設けられる。したがって、観客は、プロジェクタから透明スクリーン上に投影された映像とともに、透明スクリーンごしに見える演技者の演技を観察することができることになり、実体物と映像とをコラボレーションしたパフォーマンスが可能になる。しかも、観客席からの視界から演技空間を覆い隠すことが可能な形状および大きさをもった遮蔽幕が用意されているため、この遮蔽幕を遮蔽状態にすれば、観客席からの視界から演技空間上の実体物を隠蔽することができ、退避状態にすれば、隠蔽を解除することができる。したがって、本発明に係る舞台装置を用いれば、映像と実体物とをコラボレーションした舞台上において、実体物が出現もしくは消失する演出を行うことができるようになる。
【００２２】
一方、本発明に係る舞台上での実体物の出現方法では、上記舞台装置を利用して、遮蔽幕の遮蔽状態／退避状態の切替動作と、演技空間照明装置の点灯状態／消灯状態の切替動作とを、所定の出現用手順に従って実行することにより、映像と実体物とをコラボレーションした舞台上において、実体物が出現する演出を行うことができる。また、本発明に係る舞台上での実体物の消失方法では、上記舞台装置を利用して、遮蔽幕の遮蔽状態／退避状態の切替動作と、演技空間照明装置の点灯状態／消灯状態の切替動作とを、所定の消失用手順に従って実行することにより、映像と実体物とをコラボレーションした舞台上において、実体物が消失する演出を行うことができる。
【図面の簡単な説明】
【００２３】
【図１】本発明の一実施例に係る舞台装置を舞台周辺に設置した状態を示す平面図である。
【図２】図１の実施例に係る舞台装置を設置した舞台を観客席から見た正面図である。
【図３】図１の実施例に係る舞台装置の遮蔽幕を遮蔽状態としたときの様子を上手側から見た側面図である。
【図４】図１の実施例に係る舞台装置の遮蔽幕を退避状態としたときの様子を上手側から見た側面図である。
【図５】本発明の一実施例に係る舞台装置に用いる遮蔽幕と保持具を示す正面図である。
【図６】本発明の別な実施例に係る舞台装置に用いる遮蔽幕と巻上装置を示す正面図である。
【図７】図１の実施例に係る舞台装置を用いた実体物の出現・消失の第１の手順を示す表である。
【図８】図１の実施例に係る舞台装置を用いた実体物の出現・消失の第２の手順を示す表である。
【図９】本発明に係る舞台上での実体物の出現方法の手順を示す流れ図である。
【図１０】本発明に係る舞台上での実体物の消失方法の手順を示す流れ図である。
【発明を実施するための形態】
【００２４】
以下、本発明を図示する実施形態に基づいて説明する。
【００２５】
＜＜＜  §１．  本発明に係る舞台装置の基本構成  ＞＞＞
本発明に係る舞台装置は、舞台およびその周辺に設置することにより、映像と実体物とをコラボレーションしたパフォーマンスを行いつつ、舞台上で実体物が出現したり、消失したりする演出を行うことを可能にする装置である。ここでは、舞台上でマジックショーを演じる場合を例にとって、本発明の一実施例を説明する。
【００２６】
図１は、本発明の一実施例に係る舞台装置を、一般的な劇場施設に設置した状態を示す平面図である（一部の構成要素については、図示が省略されている）。ここでは、一般的な劇場施設にもともと備わっている構成要素を１００番台の符号で示し、本発明に係る舞台装置の構成要素を２００番台の符号で示すことにする。もっとも、２００番台の符号で示す構成要素であっても、劇場施設にもともと備わっている設備を利用して構成できる場合には、そのような既存の設備を流用して構成してもかまわない。
【００２７】
舞台１００は、図１の上半分に示すように、劇場施設の奥に配置されており、演技者１０（ここで説明する例の場合はマジシャン）は、舞台１００上に設定された演技空間ＰＳ（破線で示す仮想の空間）内で演技を行うことになる。一般に、舞台１００に向かって右側が上手、左側が下手と呼ばれている。図には示されていないが、舞台１００の右脇には上手側の控え場が隣接しており、舞台１００の左脇には下手側の控え場が隣接している。演技者１０は、各控え場から舞台１００に登場したり、舞台１００から各控え場へと退場したりすることができる。
【００２８】
ここでは、説明の便宜上、図の矢印Ｆで示す方向（図の下方向）を正面側と呼び、図の矢印Ｂで示す方向（図の上方）を背面側と呼ぶことにする。図示の劇場施設の場合、舞台１００の背面側には、ホリゾント幕１１０が設けられており、正面側には、下手側袖幕１２１および上手側袖幕１２２が設けられている。上手側袖幕１２２の近傍には、舞台階段１３０が設置されており、この舞台階段１３０を利用して、観客を舞台１００の上に登壇させることができる。
【００２９】
図１の下半分に示すように、舞台１００の手前には、多数の観客席１４０が設けられており、観客は、この観客席１４０から舞台１００上の演技空間ＰＳを眺めることになる。なお、一般的な劇場施設には、舞台１００の正面側全体を覆うための緞帳が設けられているが、ここでは、緞帳が開いた状態が示されており、緞帳自体の図示は省略されている。
【００３０】
この実施例に係る舞台装置２００の構成要素は、透明スクリーン２１０、プロジェクタ２２０、演技空間照明装置２３０（図１では、図示省略）、遮蔽幕２４０、背面用の吸光性層２５０、床面用の吸光性層２６０（図１では、図示省略）であり、いずれもこの劇場施設に設置される。
【００３１】
透明スクリーン２１０は、観客席１４０側に正面（投影面）を向けて、舞台１００の上に配置されたスクリーンであり、プロジェクタ２２０は、透明スクリーン２１０の正面側に配置され、透明スクリーン２１０に映像を投影する役割を果たす。この実施例の場合、プロジェクタ２２０は、観客席１４０の上方に設置されており、透明スクリーン２１０に向かって投影光２２１（図では一点鎖線で示す）を照射する。
【００３２】
透明スクリーン２１０は、演技空間ＰＳの正面側を覆う広さを有する矩形状のスクリーンであり、プロジェクタ２２０からの投影光を観客席１４０側に散乱させて観客に映像を提示する機能を有している。しかも、透明スクリーン２１０は、光を透過させる性質も併せ持つため、観客からは透明なスクリーンに見える。したがって、観客が、透明スクリーン２１０の存在を認識することはない。このような特性をもった透明スクリーンは、たとえば、前掲の特許文献３，４に開示されており、様々な製品が市場に流通している。
【００３３】
演技空間照明装置２３０は、図１には描かれていないが、舞台１００上の透明スクリーン２１０の背面側に設けられた演技空間ＰＳに存在する実体物（たとえば、演技者１０）を照明する機能を有し、点灯状態（ＯＮ）と消灯状態（ＯＦＦ)とを選択的にとることができる。もっとも、このような演技空間照明装置２３０は、一般的な劇場には既存設備として備わっていることが多いので、実用上は、そのような劇場の既存設備の照明装置を、演技空間照明装置２３０として利用すれば十分である。
【００３４】
遮蔽幕２４０は、プロジェクタ２２０からの投影光を吸収して遮蔽する材質を有し、観客席１４０からの視界から演技空間ＰＳを覆い隠すことが可能な形状および大きさをもった幕である。この実施例の場合、遮蔽幕２４０は、透明スクリーン２１０と同じ形状および大きさをもった矩形状黒色幕によって構成されている。したがって、図示のように、遮蔽幕２４０によって演技空間ＰＳが覆い隠されていれば、プロジェクタ２２０からの投影光によって演技空間ＰＳが照明されることはない。なお、図では、遮蔽幕２４０が黒色幕であることを示すため、遮蔽幕２４０の部分にハッチングを施している（後述する吸光性層２５０，２６０も同様）。
【００３５】
この遮蔽幕２４０は、観客席１４０からの視界から演技空間ＰＳを覆い隠すように、透明スクリーン２１０と演技空間ＰＳとの間に配置された遮蔽状態と、観客席１４０からの演技空間ＰＳに対する視界を妨げないように配置された退避状態と、を選択的にとることができる。図１は、遮蔽状態の配置をとっている状態を示すものである。このように、遮蔽状態と退避状態とを切り替える動作については、後に詳述する。
【００３６】
背面用の吸光性層２５０は、演技空間ＰＳの背面に配置された吸光性の層であり、実用上は、何らかの黒色の材料によって構成すればよい。この実施例の場合、背面用の吸光性層２５０は、遮蔽幕２４０と同様に、黒色幕によって構成されている。もちろん、劇場に既存設備として備わっている黒色幕をそのまま利用して、この背面用の吸光性層２５０を構成してもかまわない。一方、床面用の吸光性層２６０（図１では、図示省略）は、舞台１００の床面に配置されている吸光性の層であり、実用上は、何らかの黒色の材料によって構成すればよい。この実施例の場合、床面用の吸光性層２６０は、黒色の布によって構成されている。別言すれば、舞台１００の上面に、黒色の布を敷くことにより、床面用の吸光性層２６０が形成されている。もちろん、黒色の布の代わりに、黒色のボードなどを用いて床面用の吸光性層２６０を構成してもかまわない。
【００３７】
＜＜＜  §２．  本発明に係る舞台装置による出現・消失の基本原理  ＞＞＞
続いて、§１で述べた実施例に係る舞台装置による出現・消失の基本原理を説明する。図２は、図１の実施例に係る舞台装置２００を設置した舞台１００を、観客席１４０から見た正面図である。前述したとおり、舞台１００の左右には、下手側袖幕１２１および上手側袖幕１２２が設けられており、上手側袖幕１２２の近傍には、舞台階段１３０が設置されている。また、舞台１００の上方には、水引幕１２３（図１では省略）が設けられており、舞台１００の床面には、床面用の吸光性層２６０が設けられている。上述したとおり、この床面用の吸光性層２６０は、実際には、床面上に敷かれた黒色の布である。なお、図２では、便宜上、床面用の吸光性層２６０の厚みが強調して描かれているが、実際の厚みは非常に小さく、観客が吸光性層２６０の存在を意識することはない。
【００３８】
図１の平面図は、遮蔽幕２４０が遮蔽状態にある場合を示しているが、図２の正面図は、遮蔽幕２４０が退避状態にある場合を示している。すなわち、図２では、遮蔽幕２４０が、観客席１４０からの演技空間ＰＳに対する視界を妨げない位置に配置されている。後述するように、遮蔽幕２４０を落下させて退避状態にする実施例を採用する場合は、退避状態の遮蔽幕２４０は吸光性層２６０の上に載った状態になる（図２では、遮蔽幕２４０は示されていない）。遮蔽幕２４０が退避状態になると、緞帳が上がった状態において、観客は、舞台１００上の演技空間ＰＳを観察することができる。具体的には、この実施例の場合、観客は、下手側袖幕１２１、上手側袖幕１２２、水引幕１２３、床面用の吸光性層２６０で囲われた矩形状の領域を観察することができる。前述したとおり、透明スクリーン２１０は、この観察領域いっぱいに広がる大きさを有しているため、観客が、透明スクリーン２１０の存在を認識することはない。
【００３９】
図２には、この観察領域に、演技者１０と多数の星型マーク２０とが重畳して観察された状態が示されている。ここで、演技者１０は、舞台１００上の演技空間ＰＳで実際に演技を行っている実体物であるが、星型マーク２０は、プロジェクタ２２０からの投影光によって、透明スクリーン２１０上に投影された映像である。すなわち、演技者１０が奥の演技空間ＰＳで演技を行っているのに対し、星型マーク２０は手前の透明スクリーン２１０上に投影された像になる。もっとも、観客は、透明スクリーン２１０の存在を意識しないので、実体物（演技者１０）と映像（星型マーク２０）とをコラボレーションしたパフォーマンスを楽しむことができる。
【００４０】
遮蔽幕２４０が退避状態にある場合、図２に示すように、観客には、実体物（演技者１０）と映像（星型マーク２０）との双方が観察されることになるが、遮蔽幕２４０を隠蔽状態（図１の状態）に切り替えると、演技空間ＰＳが覆い隠されてしまうため、観客席１４０から演技空間ＰＳを観察することはできなくなる。したがって、図２に示す演技者１０（実体物）は観客の視界から消え失せ、観客からは、星型マーク２０（映像）のみが観察されることになる。別言すれば、演技者１０が突然消失した演出が可能になる。ここで、遮蔽幕２４０を再び退避状態に切り替えると、図２に示すように、星型マーク２０（映像）だけでなく、演技者１０（実体物）も観客の視界に現れることになる。別言すれば、演技者１０が突然出現した演出が可能になる。
【００４１】
このような出現・消失の基本原理を、図３，図４の側面図を参照しながら、より詳細に説明する。図３は、図１の実施例に係る舞台装置２００の遮蔽幕２４０を遮蔽状態（符号２４０Ａで示す）としたときの様子を上手側から見た側面図であり、図４は、図１の実施例に係る舞台装置２００の遮蔽幕２４０を退避状態（符号２４０Ｂで示す）としたときの様子を上手側から見た側面図である。これらの側面図には、図１には示されていなかった演技空間照明装置２３０が描かれている。この演技空間照明装置２３０は、演技空間ＰＳに存在する実体物（演技者１０など）を照明する機能を有し、点灯状態と消灯状態とを選択的にとることができる装置であり、実用上は、劇場に備わっている既存の照明装置をそのまま演技空間照明装置２３０として利用すればよい。
【００４２】
図示の実施例の場合、プロジェクタ２２０は、観客席１４０の上方に設置されており、透明スクリーン２１０に向かって投影光２２１を照射する。すなわち、プロジェクタ２２０は、透明スクリーン２１０に対して斜め上方から投影を行う位置に配置されている。別言すれば、プロジェクタ２２０は、その光軸が、透明スクリーン２１０に対して、斜め上方から交差する位置に配置されている。もちろん、プロジェクタ２２０の配置は、必ずしもこのような配置に限定されるものではなく、たとえば、光軸が透明スクリーン２１０に対して直交するような位置に配置してもかまわない。ただ、実用上は、透明スクリーン２１０上の映像に、立ち上がった観客の頭などの影が生じるおそれがないよう、プロジェクタ２２０を、図示のように、斜め上方から投影を行う位置に配置するのが好ましい。
【００４３】
さて、まず、図３に示すように、遮蔽状態における、観客席１４０からの観察状態を考えてみよう。プロジェクタ２２０からの投影光２２１は、透明スクリーン２１０に照射されるため、観客は、透明スクリーン２１０上の映像（星型マーク２０）を観察することができる。しかし、投影光２２１は、遮蔽状態にある遮蔽幕２４０Ａによって遮蔽され、演技空間ＰＳまで届くことはない。したがって、演技空間ＰＳ内の実体物が、投影光２２１によって照明されることはない。また、このとき、演技空間照明装置２３０を消灯状態にしておけば、演技空間ＰＳ内の実体物が、演技空間照明装置２３０によって照明されることもない。いわば、演技空間ＰＳは完全な暗転状態になる。したがって、観客には、透明スクリーン２１０上の映像（星型マーク２０）のみが観察されることになり、演技空間ＰＳ内の実体物（演技者１０など）が観察されることはない。
【００４４】
続いて、図４に示すように、退避状態における、観客席１４０からの観察状態を考えてみよう。退避状態における遮蔽幕２４０Ｂは、観客席１４０からの演技空間ＰＳに対する視界を妨げない配置になっていれば、具体的な配置はどのようなものでもかまわないが、図４に示す実施例では、遮蔽幕２４０として黒色幕を用いているため、この黒色幕を床面用の吸光性層２６０（黒色の布）の上に落下させることにより、退避状態の遮蔽幕２４０Ｂを形成するようにしている。遮蔽幕２４０Ｂも床面用の吸光性層２６０も、黒色の繊維から構成されているため、観客から見ると、遮蔽幕２４０Ｂは床面用の吸光性層２６０と融合して一体化して見える。
【００４５】
このように、遮蔽幕２４０を退避状態にした後、演技空間照明装置２３０を点灯状態に切り替えれば、演技空間ＰＳ内の実体物（演技者１０など）が、演技空間照明装置２３０による照明を受け、観客に観察されることになる。透明スクリーン２１０上には映像（星型マーク２０）も提示されているため、結局、観客には、図２に示すように、星型マーク２０（映像）と演技者１０（実体物）との双方が観察されることになり、あたかも、多数の星型マーク２０によって取り囲まれた中央空間部分に、演技者１０が突然出現したように見える。
【００４６】
逆に、図４に示す退避状態から、図３に示す遮蔽状態に切り替えることにより、多数の星型マーク２０によって取り囲まれた中央空間部分でパフォーマンスを行っていた演技者１０が、突然消失したように見える演出が可能になる。すなわち、図４に示す状態（図２に示す観察状態）において、まず、演技空間照明装置２３０を消灯状態に切り替え、続いて、退避状態にある遮蔽幕２４０Ｂを、図３に示す遮蔽状態の遮蔽幕２４０Ａに切り替える（たとえば、遮蔽幕２４０Ｂの上辺を持ち上げて遮蔽幕２４０Ａにする操作を行えばよい）。プロジェクタ２２０によって、星型マーク２０の映像提示を続けていれば、観客からは、図２に示す状態において、演技者１０だけが突然消失したように見える。
【００４７】
図３に示す遮蔽状態では、演技空間ＰＳは遮蔽幕２４０Ａによって遮蔽されているので、演技者１０は、消失したように見せた後に、密かに上手側もしくは下手側の控え場へと移動することができ、たとえば、観客席後方から出現するような演出を行うことも可能である。
【００４８】
なお、ここで述べる実施例の場合、吸光性層が、演技空間の背面とともに、舞台の床面に配置されているが、これは、プロジェクタ２２０を、透明スクリーン２１０に対して斜め上方から投影を行う位置に配置した構成を採用しているためである。ここで述べる実施例では、背面用の吸光性層２５０や床面用の吸光性層２６０は、図４に示す退避状態において、プロジェクタ２２０からの投影光２２１によって、舞台１００の背面や床面に映像が投影されることを防ぐ役割を果たす。すなわち、図４に示す状態では、投影光２２１が舞台背面や床面に照射されることになるので、もし、舞台背面や舞台床面に吸光性層が形成されていないと、舞台背面や舞台床面上に映像が映し出されることになる。そうすると、映像が、透明スクリーン２１０上と舞台背面や舞台床面上とに重複投影されることになり、観客には、互いにずれた二重映像が観察されることになり好ましくない。
【００４９】
また、遮蔽幕２４０を遮蔽状態から退避状態に切り替える際、あるいは、退避状態から遮蔽状態に切り替える際に、舞台背面や舞台床面上に映像が映し出されると、遮蔽幕２４０の動きが観客に気づかれるおそれもある。このような不都合を避けるため、ここで述べる実施例では、舞台背面に背面用の吸光性層２５０を設け、舞台床面に床面用の吸光性層２６０を設けている。また、前述したように、ここで述べる実施例では、遮蔽幕２４０としての黒色幕を舞台床面上に落下させることにより退避状態への切り替えを行っているため、床面用の吸光性層２６０（黒色の布）は、退避状態にある遮蔽幕２４０Ｂをカモフラージュする役割も果たしている。
【００５０】
もっとも、本発明を実施するにあたって、吸光性層としては、少なくとも、演技空間ＰＳの背面に配置された背面用の吸光性層２５０を設けるようにしておけば足り、床面用の吸光性層２６０は、必ずしも必要な構成要素ではない。たとえば、プロジェクタ２２０を、その光軸が透明スクリーン２１０に対して直交するような位置に配置し、投影光２２１が舞台１００の背面にのみ照射され、舞台１００の床面には照射されないようにした実施例を採用した場合、床面用の吸光性層２６０は設ける必要はない。この場合、遮蔽幕２４０を舞台床面上に落下させて退避状態にすると、床面用の吸光性層２６０によるカモフラージュ効果は期待できなくなるので、遮蔽幕２４０を上方や左右方向に移動させて退避状態にする運用を採るのが好ましい。
【００５１】
＜＜＜  §３．  遮蔽幕の具体的な構成例  ＞＞＞
既に述べたとおり、本発明に用いる遮蔽幕２４０は、プロジェクタ２２０からの投影光２２１を吸収して遮蔽する材質を有し、観客席１４０からの視界から演技空間ＰＳを覆い隠すことが可能な形状および大きさをもった幕である。しかも、この遮蔽幕２４０は、観客席１４０からの視界から演技空間ＰＳを覆い隠すように、透明スクリーン２１０と演技空間ＰＳとの間に配置された遮蔽状態（たとえば、図３に示す状態）と、観客席１４０からの演技空間ＰＳに対する視界を妨げないように配置された退避状態（たとえば、図４に示す状態）と、を選択的にとる必要がある。このような機能をもった遮蔽幕２４０の具体的な構成例を以下にいくつか述べる。
【００５２】
(1)   完全な手動式切替方式をとる例
遮蔽幕２４０の最も単純な例は、作業者の手による完全な手動式切替方式をとる例である。このような方式をとる場合、遮蔽幕２４０は、演技空間ＰＳを覆い隠すことが可能な大きさの単純な黒色幕によって構成することができる。この場合、遮蔽状態と退避状態との切替作業は、作業者の手作業によって行われる。たとえば、上手側の舞台脇と下手側の舞台脇に、それぞれ作業者を配置しておき、各作業者が手で遮蔽幕２４０の一部を持ち上げることにより遮蔽状態に保ち、手を離すことにより退避状態に移行するようにすればよい。
【００５３】
遮蔽幕２４０を、透明スクリーン２１０とほぼ同じサイズの矩形状黒色幕で構成した場合、観客席１４０から見て、遮蔽幕２４０の右上隅を上手側の作業者によって保持するようにし、遮蔽幕２４０の左上隅を下手側の作業者によって保持するようにすれば、遮蔽幕２４０の上辺を所定高さ位置に保持することができる。両作業者が手を高く上げて遮蔽幕２４０を保持すれば（必要に応じて脚立などに昇って保持すれば）、遮蔽幕２４０の上辺を透明スクリーン２１０の上端とほぼ同じ高さにもってくることができ、図３に示すような遮蔽状態に保つことができる。この状態で、両作業者が手を放せば、遮蔽幕２４０は落下し、図４に示すような退避状態に保つことができる。逆に、図４に示すような退避状態において、両作業者が、遮蔽幕２４０の右上隅および左上隅を掴んで持ち上げるようにすれば、図３に示すような遮蔽状態に保つことができる。
【００５４】
この完全な手動式切替方式では、遮蔽幕２４０のみを用意すれば足りるので、構成は非常に単純になるが、上手側の作業者と下手側の作業者とが必要になり、しかも両者が同時に作業をする必要があるため、各作業者には、ある程度の熟練が必要になる。操作性を向上させるには、たとえば、２本の竿を用意し、矩形状の遮蔽幕２４０の右上隅および左上隅に、それぞれの竿の先端を接続しておくようにしてもよい。各作業者は、それぞれ竿を操作することにより、遮蔽状態と退避状態との切り替えを行うことができる。
【００５５】
(2)   保持具を用いた切替方式をとる例
図５は、本発明の一実施例に係る舞台装置に用いる遮蔽幕と保持具を示す正面図（観客席１４０側から見た図）である。図示のとおり、舞台１００の床面上には床面用の吸光性層２６０が敷かれており、その上に、遮蔽状態の遮蔽幕２４０が配置されている。なお、この図５では、本発明に係る舞台装置の付加的構成要素を３００番台の符号で示してある。
【００５６】
この実施例の場合、遮蔽幕２４０は、演技空間ＰＳを覆い隠すことが可能な大きさの矩形状黒色幕によって構成されており、左上隅にはループ紐３１１が取り付けられており、右上隅にはループ紐３１２が取り付けられている。
【００５７】
この実施例の特徴は、矩形状黒色幕からなる遮蔽幕２４０の上辺２４１を、舞台１００上の所定の高さｈの位置に保持する保持具３１３〜３１６を更に備えており、この保持具３１３〜３１６によって遮蔽幕２４０を保持することにより遮蔽状態をとり（図３の状態）、保持具３１３〜３１６による保持を解除して、遮蔽幕２４０を舞台上に落下させることにより退避状態（図４の状態）をとるようにした点である。
【００５８】
より具体的には、左上隅のループ紐３１１を保持するために、保持具本体部３１３と保持具フック部３１４が設けられている。保持具本体部３１３は、下手側の舞台脇の所定高さ位置に固定されており、保持具フック部３１４は、この保持具本体部３１３に対して回動自在となるように取り付けられている。同様に、右上隅のループ紐３１２を保持するために、保持具本体部３１５と保持具フック部３１６が設けられている。保持具本体部３１５は、上手側の舞台脇の所定高さ位置に固定されており、保持具フック部３１６は、この保持具本体部３１５に対して回動自在となるように取り付けられている。
【００５９】
保持具本体部３１３，３１５を所定高さ位置に固定するには、たとえば、舞台１００の床面上に配置したスタンドの上端や、舞台１００の両袖側の壁面などに、保持具本体部３１３，３１５を取り付けるようにすればよい。あるいは、舞台１００の天井部分から、保持具本体部３１３，３１５を吊るようにしてもかまわない。
【００６０】
保持具フック部３１４，３１６は、図に実線で示されている保持位置にロックすることができ、このロックを解除すると、図に破線で示されている解除位置をとることができる。図に実線で示すように、保持具フック部３１４，３１６を保持位置にロックした状態で、ループ紐３１１を保持具フック部３１４に引っ掛け、ループ紐３１２を保持具フック部３１６に引っ掛ければ、遮蔽幕２４０の上辺２４１を、舞台１００上の所定の高さｈの位置に保持することができ、遮蔽幕２４０を遮蔽状態にすることができる。この状態において、保持具フック部３１４，３１６のロックを解除すると、図に破線で示すように、保持具フック部３１４，３１６は下方に回動し、ループ紐３１１，３１２が滑り落ちることになる。その結果、遮蔽幕２４０は、床面用の吸光性層２６０の上に落下し、図４に示すように、退避状態の遮蔽幕２４０Ｂになる。
【００６１】
保持具フック部３１４，３１６のロック機構やその解除機構としては、様々な構造を採ることができる。たとえば、保持具フック部３１４，３１６に設けられた爪を、保持具本体部３１３，３１５に設けられた窪みに係合させることによりロック状態が維持されるようにし、この係合状態を手動操作で外すことによりロックを解除するようにすればよい。このような手動操作を行う機構を採用した場合、下手側の舞台脇に居る作業者により保持具フック部３１４のロック解除操作を行い、上手側の舞台脇に居る作業者により保持具フック部３１６のロック解除操作を行えばよい。
【００６２】
保持具フック部３１４，３１６のロック機構やその解除機構として、電動動作する機構を採用すれば、電気的なスイッチを切り替えることにより、ロック状態と解除状態とを切り替えることができる。この場合、１人の作業者（あるいは、演技者１０自身でもよい）が、電気的なスイッチを操作することにより、図３に示す遮蔽状態から図４に示す退避状態への切り替えが可能になる。
【００６３】
なお、この図５に示す実施例の場合、図４に示す退避状態から図３に示す遮蔽状態への切り替えを行うには、前述した「(1)   完全な手動式切替方式をとる例」と同様に、下手側および上手側の作業者が、それぞれループ紐３１１，３１２を掴んで持ち上げ、それぞれロック状態にある保持具フック部３１４，３１６に引っ掛ける操作を行う必要がある。
【００６４】
(3)   巻上装置を用いた切替方式をとる例
図６は、本発明の別な実施例に係る舞台装置に用いる遮蔽幕と巻上装置を示す正面図（観客席１４０側から見た図）である。図示のとおり、舞台１００の床面上には床面用の吸光性層２６０が敷かれており、その上に、遮蔽状態の遮蔽幕２４０が配置されている。なお、この図６でも、本発明に係る舞台装置の付加的構成要素を３００番台の符号で示してある。
【００６５】
この実施例の場合、遮蔽幕２４０は、演技空間ＰＳを覆い隠すことが可能な大きさの矩形状黒色幕によって構成されており、左上隅には吊り紐３２１が取り付けられており、右上隅には吊り紐３２２が取り付けられている。
【００６６】
この実施例の特徴は、矩形状黒色幕からなる遮蔽幕２４０の上辺２４１を、舞台１００上の所定の高さ位置に吊り上げる巻上装置３２３，３２４を更に備えており、この巻上装置３２３，３２４によって遮蔽幕２４０の吊り上げ高さを変えることにより、遮蔽状態と退避状態とを切り替えるようにした点である。巻上装置３２３，３２４は、たとえば、舞台１００の天井部分に固定しておけばよい。もちろん、このような巻上装置を設備として予め備えている劇場の場合は、そのような既存設備を巻上装置３２３，３２４として利用することができる。
【００６７】
ここで、巻上装置３２３によって吊り紐３２１を巻き上げる操作を行うと、遮蔽幕２４０の左上隅は上方に移動し、巻き戻す操作を行うと、遮蔽幕２４０の左上隅は自重により下方に移動する。同様に、巻上装置３２４によって吊り紐３２２を巻き上げる操作を行うと、遮蔽幕２４０の右上隅は上方に移動し、巻き戻す操作を行うと、遮蔽幕２４０の右上隅は自重により下方に移動する。したがって、巻上装置３２３および巻上装置３２４の巻き上げ操作を同期させれば、遮蔽幕２４０の上辺２４１の高さを、水平状態を維持させたまま変化させることができる。
【００６８】
図示のように、遮蔽幕２４０の上辺２４１の高さをｈに維持すると、下辺が床面用の吸光性層２６０の上面位置にくることになり、図３に示すような遮蔽状態になる。一方、巻上装置３２３，３２４による巻上操作を行って、遮蔽幕２４０の下辺の高さがｈになるまで引き上げるようにすると、遮蔽幕２４０は上方に退避することになり、退避状態にすることができる（図２に示すとおり、上方に退避した遮蔽幕２４０は、水引幕１２３によって隠され、観客からは見えない。）。
【００６９】
あるいは、図６に示す状態において、巻上装置３２３，３２４による巻き戻し操作を行って、遮蔽幕２４０の上辺２４１の高さが、床面用の吸光性層２６０の上面位置になるまで引き下げるようにすると、遮蔽幕２４０は下方に退避することになり、退避状態にすることができる（退避した遮蔽幕２４０は、床面用の吸光性層２６０上に載った状態になるので、観客によって認識されることはない）。
【００７０】
巻上装置３２３，３２４としては、ハンドル操作により巻上状態を調整可能な手動タイプのものを用いてもかまわないが、電動タイプのものを用いれば、遮蔽状態から退避状態への切り替えや、退避状態から遮蔽状態への切り替えを、ボタン操作によって行うことができるようになる。
【００７１】
＜＜＜  §４．  出現・消失の具体的な手順  ＞＞＞
続いて、§１で述べた実施例に係る舞台装置による出現・消失の具体的な手順を説明する。ここでは、演技者１０としてのマジシャンが、舞台１００上で、映像とコラボレーションしたマジックのパフォーマンスを行う場合を例にとって説明する。ここで説明する例の場合、出現や消失の対象となる実体物は、演技者１０（マジシャン）自身ということになる。もちろん、本発明に係る舞台装置を用いたパフォーマンスは、演技者１０の出現や消失現象に限定されるものではなく、舞台上で、小道具や動物などの様々な実体物を出現させたり消失させたりするパフォーマンスも可能である。
【００７２】
また、本発明に係る舞台装置を用いたパフォーマンスは、マジックのパフォーマンスに限定されるものではなく、ダンスや音楽など、様々なパフォーマンスにおける余興として行うことも可能である。あるいは、モーターショーなどにおいて、新車を発表する場合、舞台１００上で自動車を出現させたり、消失させたりする演出などに利用することも可能である。
【００７３】
(1)   出現・消失の第１の手順
図７は、図１の実施例に係る舞台装置２００を用いた実体物の出現・消失の第１の手順を示す表である。まず、実体物の出現手順、より具体的には、マジシャンとしての演技者１０の出現手順を説明する。この出現手順は、表の上から下へ向かう時系列の手順によって構成される。
【００７４】
なお、この図７の表（図８の表も同様）において、「No.」欄の数字１〜４は、個々のステップの番号を示し、「映像」欄の説明文は、プロジェクタ２２０によって透明スクリーン２１０上に投影される動画映像の内容を示し（OFFは、投影が全くなされていないことを示す）、「遮蔽幕」欄の「あり／なし」は、透明スクリーン２１０の背面側に遮蔽幕２４０が存在するか否かを示し（「あり」の場合は遮蔽幕２４０が遮蔽状態、「なし」の場合は遮蔽幕２４０が退避状態ということになる）、「照明装置」欄の「OFF／ON」は、演技空間照明装置２３０が消灯状態（OFF）か点灯状態（ON）かを示している。また、「観客から見た状態」欄には、各ステップにおいて、観客から舞台１００上の演技空間ＰＳを眺めたときの観察状態が描かれている。
【００７５】
まず、ステップNo.１では、遮蔽幕２４０は「あり」となっており、図３に示すような遮蔽状態が維持されている。このとき、プロジェクタ２２０からの投影は行われておらず、透明スクリーン２１０上には映像は映し出されていない。また、演技空間照明装置２３０も消灯状態である。ただ、図３に示すように、演技者１０は演技空間ＰＳ上にスタンバイした状態になっている。したがって、観客席１４０からは、演技空間ＰＳは見えておらず、舞台上は、真っ暗な「暗転状態」に見えている。
【００７６】
続く、ステップNo.２では、プロジェクタ２２０から透明スクリーン２１０への投影が開始される。具体的には、この例の場合、画面の左上から複数の星２０が次々と現れ、画面上で時計回りに回転する動画映像が再生される。このとき、遮蔽幕２４０は遮蔽状態のままであり、演技空間照明装置２３０も消灯状態のままである。したがって、観客席１４０からは、透明スクリーン２１０上に投影された複数の星２０が出現してゆく映像のみが見える。
【００７７】
ステップNo.２からステップNo.３に移行する際には、図に白抜き矢印で示すとおり、遮蔽幕２４０の落下操作が行われる。すなわち、図３に示す遮蔽状態から図４に示す退避状態へと移行し、遮蔽幕２４０は床面用の吸光性層２６０の上面に落下する。図５に示す実施例の場合、保持具フック部３１４，３１６のロックを解除することにより、遮蔽幕２４０を落下させることができる（図６に示す実施例の場合は、落下させる代わりに、遮蔽幕２４０を上方もしくは下方に移動させて退避状態に移行させる）。このとき、透明スクリーン２１０上には、複数の星２０が時計回りに回転した映像が提示されている。
【００７８】
このステップNo.３の段階では、図４に示すとおり、透明スクリーン２１０の背面に遮蔽幕２４０は存在しないので、プロジェクタ２２０からの投影光２２１は、演技空間ＰＳ内に照射されることになる。ただ、演技空間ＰＳの背面には背面用の吸光性層２５０（黒色幕）が設けられており、演技空間ＰＳの底面には床面用の吸光性層２６０（黒色布）が敷かれているため、投影光２２１は吸収されてしまう。したがって、観客には、透明スクリーン２１０上に投影された「複数の星２０が時計回りにくるくると回っている映像」のみが観察される。
【００７９】
この時点で、演技空間ＰＳには、スタンバイ中の演技者１０が存在しているので、理論的には、観客の視界内に演技者１０が入っていることになるが、演技空間照明装置２３０は消灯状態のままであるため、演技者１０には照明が当たっておらず、観客は演技者１０の存在にはほとんど気づかない。
【００８０】
なお、演技者１０は、プロジェクタ２２０からの投影光２２１によって照らされることになるが、図示のように「複数の星２０が時計回りにくるくると回っている映像」を投影するようにすれば、演技者１０の位置（複数の星２０に取り囲まれた中央部分）には、ほとんど投影光２２１が照射されないので、演技者１０に対する照明は暗く、このステップNo.３の時点で観客が演技者１０の存在に気づくことはほとんどない。
【００８１】
最後に、ステップNo.４に移行し、図に白抜き矢印で示すとおり、演技空間照明装置２３０が点灯状態になる。プロジェクタ２２０からの映像は、依然として「複数の星２０が時計回りにくるくると回っている映像」であるが、演技空間照明装置２３０によって演技者１０が照明されるため、観客から見ると、「複数の星２０によって取り囲まれた中央部分」に、突然演技者１０が出現したように見える。前述のとおり、落下した遮蔽幕２４０（黒色幕）は、床面用の吸光性層２６０（黒色布）と融合して一体化して見えるため、その存在は気にならない。
【００８２】
なお、上述したように、ステップNo.３の時点では、演技空間照明装置２３０が消灯状態であったとしても、観客の視界内に演技者１０が入っているため、観客席１４０の照明や投影光２２１による照明を受けた演技者１０が、観客からうっすらと観察される可能性はゼロではない。したがって、実際には、ステップNo.３を実行した後、できるだけ速やかにステップNo.４を実行するのが好ましい。そうすれば、ステップNo.３の実行時点で、観客がうっすらとした演技者１０の存在に気づいたとしても、すぐにステップNo.４が実行されるので、不自然さが感じられることはない。
【００８３】
もっとも、遮蔽幕２４０が遮蔽状態から退避状態に移行している最中にステップNo.４を実行してしまうと、演技空間照明装置２３０が点灯状態になるため、移動中（たとえば、落下中や巻き上げ中）の遮蔽幕２４０が観客に見えてしまう。したがって、ステップNo.４の実行タイミングは、遮蔽幕２４０が完全に退避状態に移行した後に行う必要がある。具体的には、遮蔽幕２４０を落下させて退避状態に移行させる実施例を採る場合であれば、ステップNo.３の実行後、０．５秒ほど経過した時点でステップNo.４を実行するのが好ましい。
【００８４】
以上、図７の表を参照しながら、実体物の出現の手順を説明したが、この手順を逆に実行すれば、実体物の消失を行うことができる。すなわち、マジシャンとしての演技者１０を舞台から消失させるのであれば、図７の表の下から上へ向かう時系列の手順を実行すればよい。なお、ここでは、プロジェクタ２２０からの映像として、上述した出現手順で用いた動画を逆再生したものを用いたものとして説明する。
【００８５】
具体的には、まず、図４に示すように、演技者１０が舞台１００上において何らかのパフォーマンスを行う。このとき、表のステップNo.４に示すように、遮蔽幕２４０は退避状態となっており、演技空間照明装置２３０は点灯状態になっている。また、プロジェクタ２２０からは、「複数の星２０が反時計回りにくるくると回っている映像」が投影されている。したがって、観客からは、「複数の星２０によって取り囲まれた中央部分」で、演技者１０がパフォーマンスを行っている状態が観察できる。
【００８６】
続いて、ステップNo.４からステップNo.３に移行し、図に白抜き矢印で示すとおり、演技空間照明装置２３０を消灯状態にする。すると、「複数の星２０が反時計回りにくるくると回っている映像」はそのままであるのに、演技者１０に対する照明がなくなるので、演技者１０が突然消えたように見える。
【００８７】
そこで、できるだけ速やかに、ステップNo.３からステップNo.２に移行し、図に白抜き矢印で示すとおり、遮蔽幕２４０の上辺を所定高さ位置まで上昇させ（図６に示す実施例の場合は、遮蔽幕２４０を上下方向に移動させ）、遮蔽状態に移行させる。このとき、映像は、複数の星２０が画面の左上へと移動して、順次画面外へと消えてゆく動画になる。
【００８８】
最後に、ステップNo.２からステップNo.１へと移行し、プロジェクタ２２０からの投影を終了すれば、舞台は暗転状態になる。このとき、遮蔽幕２４０は遮蔽状態になっているので、観客席１４０から演技空間ＰＳは見えない。したがって、舞台１００上の演技者１０は、舞台の上手側もしくは下手側の控え場へと移動することができ、たとえば、観客席後方から出現するような演出を行うことができる。
【００８９】
(2)   出現・消失の第２の手順
続いて、図８を参照しながら、図１の実施例に係る舞台装置２００を用いた実体物の出現・消失の第２の手順を示す。この図８の表の各欄の構成は、図７の表と同様であり、表の上から下へ向かう時系列によって出現手順が示され、逆に下から上へ向かう時系列によって消失手順が示されている。この図８の表の「遮蔽幕」欄の内容と、「照明装置」欄の内容は、図７の表の対応する各欄の内容と全く同じである。別言すれば、図８に示す第２の手順における遮蔽幕の操作と照明装置の操作は、図７に示す第１の手順における各操作と全く同じである。両者の違いは、プロジェクタ２２０から投影する映像の内容にある。すなわち、図７の表と図８の表の相違は、「映像」欄と「観客から見た状態」欄の内容ということになる。そこで、以下、この相違点についての説明を行う。
【００９０】
前述した第１の手順の場合、図７の「映像」欄に示すとおり、ステップNo.１では、プロジェクタ２２０からの投影は行われておらず、透明スクリーン２１０上には映像は映し出されていない。続くステップNo.２では、「画面の左上から複数の星２０が次々と現れる映像」がスタートし、ステップNo.３〜No.４では、「複数の星２０が時計回りにくるくると回っている映像」が提示される。そして、ステップNo.４では、演技空間照明装置２３０が点灯状態になるので、「複数の星２０によって取り囲まれた中央部分」に、演技者１０が出現したように見える。
【００９１】
これに対して、第２の手順の場合、図８の「映像」欄に示すとおり、ステップNo.１では、プロジェクタ２２０からの投影は行われておらず、透明スクリーン２１０上には映像は映し出されていない。続くステップNo.２では、画面の右下に現れた魔法のランプ２５の注ぎ口から煙が吹き出し、雲型煙２６が形成される動画がスタートする。そして、この雲型煙２６は徐々に人間の形に変わってゆき、ステップNo.３の時点では、モヤモヤと動く人型煙２７が形成される。最後に、ステップNo.４に至ると、人型煙２７は突然消え失せ、魔法のランプ２５のみが残る。
【００９２】
プロジェクタ２２０から、このような映像を提示しながら、ステップNo.１〜No.４に示すように遮蔽幕２４０および演技空間照明装置２３０を操作すると、魔法のランプ２５から煙が吹き出し（ステップNo.２）、煙が人間の形に変わってゆき（ステップNo.３）、この人型煙２７が、突然、本物の人間（演技者１０）に変わった、というマジックが演じられたように見える。すなわち、ステップNo.２〜No.３では、プロジェクタ２２０から透明スクリーン２１０上に投影された映像のみが観客に提示されているが、ステップNo.４では、魔法のランプ２５（透明スクリーン２１０上に投影された映像）と、舞台１００上にスタンバイしていた演技者１０（演技空間照明装置２３０が点灯状態になることによって観客の目に触れるようになった実体物）との双方が、観客に提示されることになる。
【００９３】
ここで、ステップNo.３における人型煙２７の投影位置および大きさと、ステップNo.４における演技者１０の立ち位置および大きさとが、観客席１４０から観察したときにほぼ同じになるように設定しておけば、観客から見れば、あたかも人型煙２７が演技者１０に変わったように見える。このように、図８に示す第２の手順の特徴は、「映像中の仮想物」が「現実世界の実体物」に変化したような演出を行うことができる点にある。
【００９４】
図４に示すとおり、ステップNo.３の時点では、遮蔽幕２４０は退避状態になっているため、プロジェクタ２２０からの投影光２２１が舞台１００上の光反射性の実体物（たとえば、演技者１０の服装の白っぽい部分）に照射されると、演技空間照明装置２３０が消灯状態であったとしても、当該実体物の存在が観客に気づかれる可能性がある。したがって、図７に示す第１の手順では、既に述べたとおり、演技者１０が立っている位置への映像投影を避けるようにしている（具体的には、「複数の星２０によって取り囲まれた中央部分」には、何ら映像を映し出さないようにしている）。
【００９５】
これに対して、図８に示す第２の手順では、敢えて、演技者１０が立っている位置への映像投影を行うようにしている（具体的には、人型煙２７の映像が、演技者１０が立っている位置へ投影されるようにしている）。したがって、ステップNo.３の時点において、プロジェクタ２２０からの投影光２２１が演技者１０に照射されることになる。ただ、人型煙２７の映像の投影位置および大きさが演技者１０の立ち位置および大きさとほぼ同じになっていれば、観客からは、人型煙２７と演技者１０との重複像が見えることになり、全体としては、まだ映像の世界が見えているように感じられる。続いて、ステップNo.４に移行することにより、演技空間照明装置２３０が点灯状態となり、人型煙２７の映像がなくなるので、観客は、実体物としての演技者１０が明確に把握できるようになる。かくして、観客に対して、「映像中の仮想物（人型煙２７）」が「現実世界の実体物（演技者１０）」に変化したような強烈な現象を提示することができる。
【００９６】
この第２の手順においても、ステップNo.３の状態が長く続くと、人型煙２７に重なって演技者１０が存在することが観客に認識されてしまう可能性があるので、実際には、ステップNo.３を実行した後、できるだけ速やかにステップNo.４を実行するのが好ましい。もちろん、遮蔽幕２４０が遮蔽状態から退避状態に移行している最中にステップNo.４を実行してしまうと、演技空間照明装置２３０が点灯状態になるため、移動中の遮蔽幕２４０が観客に見えてしまうので、ステップNo.４の実行タイミングは、遮蔽幕２４０が完全に退避状態に移行した後に行う必要がある。具体的には、遮蔽幕２４０を落下させて退避状態に移行させる実施例を採る場合であれば、ステップNo.３の実行後、０．５秒ほど経過した時点でステップNo.４を実行するのが好ましい。
【００９７】
以上、図８の表を参照しながら、実体物の出現の手順を説明したが、この手順を逆に実行すれば、実体物の消失を行うことができる。すなわち、マジシャンとしての演技者１０を舞台から消失させるのであれば、図８の表の下から上へ向かう時系列の手順を実行すればよい。このような実体物の消失を行う場合の遮蔽幕２４０および演技空間照明装置２３０についての操作手順は、図７の表を用いた第１の手順と同様である。そこで、ここでは、プロジェクタ２２０からの映像として、上述した出現手順で用いた動画を逆再生したものを用いた場合の「観客から見た状態」欄の変化を簡単に説明しておく。
【００９８】
まず、図８の表のステップNo.４に示すように、遮蔽幕２４０を退避状態とし、演技空間照明装置２３０を点灯状態として、演技者１０がパフォーマンスを行う。そして、プロジェクタ２２０からは、魔法のランプ２５の映像を投影する。したがって、観客からは、パフォーマンスを行っている演技者１０の傍に、魔法のランプ２５の映像が現れたことが認識できる。
【００９９】
続いて、ステップNo.４からステップNo.３に移行し、図に白抜き矢印で示すとおり、演技空間照明装置２３０を消灯状態にする。このとき、人型煙２７がモヤモヤと動く映像が提示されるので、観客には、演技者１０（実体物）の上にモヤモヤと動く人型煙２７（映像）が重なって投影されている状態が見えることになる。
【０１００】
そこで、できるだけ速やかに、ステップNo.３からステップNo.２に移行し、図に白抜き矢印で示すとおり、遮蔽幕２４０の上辺を所定高さ位置まで上昇させ（図６に示す実施例の場合は、遮蔽幕２４０を上下方向に移動させ）、遮蔽状態に移行させる。このとき、映像上の人型煙２７は、モヤモヤと動きながら雲型煙２６へと変形してゆき、やがて魔法のランプ２５の注ぎ口へと吸い込まれてゆく。これにより、実体物である演技者１０が、映像上の煙と化して魔法のランプ２５の中へと消えてゆく現象が提示されることになる。
【０１０１】
最後に、ステップNo.２からステップNo.１へと移行し、プロジェクタ２２０からの投影を終了すれば、舞台は暗転状態になる。このとき、遮蔽幕２４０は遮蔽状態になっているので、観客席１４０から演技空間ＰＳは見えない。したがって、舞台１００上の演技者１０は、舞台の上手側もしくは下手側の控え場へと移動することができ、たとえば、観客席後方から出現するような演出を行うことができる。
【０１０２】
＜＜＜  §５．  本発明に係る舞台上での実体物の出現方法  ＞＞＞
ここでは、本発明を「舞台上での実体物の出現方法」という方法発明として把握し、その具体的な手順を説明する。図９は、この出現方法の手順を示す流れ図であり、実体物と映像とをコラボレーションしたパフォーマンスを行う際に、当該実体物を舞台上に出現させる方法の手順ということになる。
【０１０３】
図示のとおり、この出現方法は、ステップＳ１０「舞台設定プロセス」と、ステップＳ２０「パフォーマンス実行プロセス」という２つのプロセスを有している。ステップＳ１０「舞台設定プロセス」は、パフォーマンスが始まる前に済ませておくべき準備プロセスというべきものであり、ステップＳ２０「パフォーマンス実行プロセス」は、実際にパフォーマンスが進行しているとき、もしくはその直前に実行されるプロセスである。したがって、ステップＳ１０「舞台設定プロセス」が完了した後に、ステップＳ２０「パフォーマンス実行プロセス」が実行される。
【０１０４】
ステップＳ１０「舞台設定プロセス」は、図にステップＳ１１〜Ｓ１５として示されている次の各段階を有している。なお、以下の説明では、これまでの図において各構成要素に用いられていた符号をそのまま流用して示す。
【０１０５】
ステップＳ１１：舞台１００の上に、観客席１４０側に正面を向けて透明スクリーン２１０を配置するスクリーン配置段階である。たとえば、図３参照。透明スクリーン２１０の詳細については、§１で述べたとおり。
【０１０６】
ステップＳ１２：透明スクリーン２１０の正面側に、当該透明スクリーン２１０に映像を投影するプロジェクタ２２０を配置するプロジェクタ配置段階である。たとえば、図３参照。プロジェクタ２２０の詳細な配置位置については、§１で述べたとおり。また、プロジェクタ２２０により投影する具体的な動画については、§２，§４で述べたとおり。
【０１０７】
ステップＳ１３：舞台１００上の透明スクリーン２１０の背面側に設けられた演技空間ＰＳに存在する実体物１０を照明する機能を有し、点灯状態と消灯状態とを選択的にとることができる演技空間照明装置２３０を準備する照明装置準備段階である。たとえば、図３参照。演技空間照明装置２３０の詳細については、§１で述べたとおり。
【０１０８】
ステップＳ１４：プロジェクタ２２０からの投影光２２１を吸収して遮蔽する材質を有し、観客席１４０からの視界から演技空間ＰＳを覆い隠すことが可能な形状および大きさをもった遮蔽幕２４０を用意する遮蔽幕用意段階である。たとえば、図３参照。遮蔽幕２４０の動作を含めた詳細については、§１〜§３で述べたとおり。なお、遮蔽幕２４０について、遮蔽状態と退避状態とを切り替える方式として、§３(1) で述べた「完全な手動式切替方式をとる例」を採用する場合、このステップＳ１４では、遮蔽幕２４０を用意するだけでよいが、§３(2) で述べた「保持具を用いた切替方式をとる例」を採用する場合、このステップＳ１４において、図５に示すループ紐３１１，３１２や保持具（３１１〜３１６）を併せて用意しておくようにし、§３(3) で述べた「巻上装置を用いた切替方式をとる例」を採用する場合、このステップＳ１４において、図６に示す吊り紐３２１，３２２や巻上装置３２３，３２４を併せて用意しておく。
【０１０９】
ステップＳ１５：舞台１００上の、少なくとも、演技空間ＰＳの背面に、吸光性層を配置する吸光性層配置段階である。たとえば、図３の例の場合、背面用の吸光性層２５０と床面用の吸光性層２６０とが配置されている。
【０１１０】
なお、このステップＳ１０「舞台設定プロセス」に含まれるステップＳ１１〜Ｓ１５の各段階の実行順序は順不同であり、各段階をどのような順に実行してもかまわない。
【０１１１】
こうして、ステップＳ１０「舞台設定プロセス」が完了したら、続いて、ステップＳ２０「パフォーマンス実行プロセス」が実行される。このステップＳ２０「パフォーマンス実行プロセス」は、舞台１００上で「実体物（演技者１０）の出現」というパフォーマンスを行う際に実行されるプロセスであり、図にステップＳ２１〜Ｓ２６として示されている次の各段階を有している。
【０１１２】
ステップＳ２１：ステップＳ１４で用意した遮蔽幕２４０を、透明スクリーン２１０と演技空間ＰＳとの間に、観客席１４０からの視界から演技空間ＰＳを覆い隠すように配置する遮蔽幕配置段階である。たとえば、図３参照。このような遮蔽幕２４０の配置は、§１〜§３において、遮蔽状態と呼ばれている配置である。なお、ステップＳ１４の遮蔽幕用意段階において、遮蔽幕２４０を遮蔽状態とする準備が既に行われていた場合には、ステップＳ１４の遮蔽幕用意段階がステップＳ２１の遮蔽幕配置段階を兼ねることになる。
【０１１３】
ステップＳ２２：演技空間照明装置２３０を消灯状態にする照明消灯段階。たとえば、図３参照。
【０１１４】
ステップＳ２３：演技空間ＰＳ内に実体物を配置する実体物配置段階である。演技者１０が出現対象の実体物となる場合は、上手側もしくは下手側の控え場から、演技者１０が演技空間ＰＳ内に移動して、たとえば、図３に示すように、出現位置にスタンバイすることになる。ステップＳ２２において、演技空間照明装置２３０を消灯状態にすれば、演技空間ＰＳ内にスタンバイした演技者１０には照明が当たらないため、観客には、スタンバイ状態の演技者１０の存在は認識されない（図７，図８のステップNo.１参照）。
【０１１５】
ステップＳ２４：ステップＳ２１で遮蔽状態となるように配置した遮蔽幕２４０を、観客席１４０からの演技空間ＰＳに対する視界を妨げない位置まで退避させる遮蔽幕退避段階である。すなわち、ステップＳ２１で遮蔽状態となるように配置した遮蔽幕２４０（たとえば、図３の遮蔽幕２４０Ａ）を、退避状態（たとえば、図４の遮蔽幕２４０Ｂ）とするステップである。このステップＳ２４の実行により、図７，図８のステップNo.２からステップNo.３への移行が行われる。
【０１１６】
このステップＳ２４を実行する具体的な方法として、最も単純な方法は、既に§３(1) ，(2) で述べたとおり、遮蔽幕２４０を落下させる方法である。この場合、ステップＳ２１の遮蔽幕配置段階では、遮蔽幕２４０の上辺２４１を舞台１００上の所定の高さ位置に保持し（§３(1) で述べたように手で持ち上げるようにして保持してもよいし、§３(2) で述べたように保持具を利用して保持するようにしてもよい）、遮蔽幕２４０をその上辺２４１から垂下させることにより、遮蔽幕２４０が演技空間ＰＳを覆い隠すようにしておくようにする。そうすれば、ステップＳ２４の遮蔽幕退避段階では、遮蔽幕２４０の保持を解除して舞台床面に落下させることにより、遮蔽幕２４０を退避させることができる。
【０１１７】
ステップＳ２５：ステップＳ２２で消灯状態にした演技空間照明装置２３０を点灯状態にする照明点灯段階である。このステップＳ２５の実行により、図７，図８のステップNo.３からステップNo.４への移行が行われる。これにより、出現位置にスタンバイしていた演技者１０に照明が当たることになるので、観客から見ると、たとえば、図７，図８のステップNo.４の「観客から見た状態」に示すように、突然、演技者１０が出現したように見える。
【０１１８】
ステップＳ２６：プロジェクタ２２０により、透明スクリーン２１０に映像を投影する映像投影段階である。たとえば、図７，図８のステップNo.２〜４の「観客から見た状態」に示すような動画が投影される。
【０１１９】
以上、ステップＳ２１〜Ｓ２６を含むパフォーマンス実行プロセスＳ２０を説明したが、ここで、各ステップＳ２１〜Ｓ２６の各段階の実行順序は次のとおりである。
【０１２０】
まず、遮蔽幕配置段階Ｓ２１、照明消灯段階Ｓ２２、実体物配置段階Ｓ２３の３つの段階の実行順序であるが、舞台１００の緞帳を下ろした状態（すなわち、観客席１４０からは、舞台１００上が全く見えない状態）で、これら３つの段階を実行するのであれば、これらの実行順序はどのようなものであってもかまわない。たとえば、演技者１０の出現パフォーマンスが始まる前に、緞帳が下りた状態になっており、その状態でステップＳ２１〜２３を行うのであれば、各段階の実行操作が観客に認識されることはないので、順不同でかまわない。演技者１０の出現パフォーマンスは、ステップＳ２１〜２３の実行後に緞帳を上げた状態からスタートすることになる。
【０１２１】
これに対して、いわゆる暗転により、演技者１０の出現パフォーマンスが始まる場合（たとえば、直前に別なパフォーマーによる演技が行われていた場合や、同じ演技者１０による別な演技が行われていた場合）は、観客席１４０からは、舞台１００上が視界に入っているため、まず、ステップＳ２２の照明消灯段階を実行して演技空間ＰＳに照明が当たらないようにし、続いて、ステップＳ２１の遮蔽幕配置段階を実行し、最後にステップＳ２３の実体物配置段階を行うようにするのが好ましい。そうすれば、遮蔽幕２４０の設定操作（遮蔽状態への移動操作）や、実体物（演技者１０）の配置操作が観客に気づかれることがない。
【０１２２】
一方、ステップＳ２４の遮蔽幕退避段階は、少なくとも、ステップＳ２１の遮蔽幕配置段階、ステップＳ２２の照明消灯段階、およびステップＳ２３の実体物配置段階を行った後に、行う必要がある。これは、遮蔽幕退避段階が、図７，図８のステップNo.２からステップNo.３へと移行する操作を行う段階であるため、その直前には、ステップNo.２の状態（遮蔽幕２４０が遮蔽状態となっており、演技空間照明装置２３０が消灯状態となっており、演技者１０がスタンバイしている状態）になっている必要があるためである。
【０１２３】
そして、ステップＳ２５の照明点灯段階は、ステップＳ２４の遮蔽幕退避段階の後に行う必要がある。これは、前述したとおり、遮蔽幕退避段階を行う際に、演技空間照明装置２３０が点灯状態になっていると、遮蔽幕２４０の退避状態への移動操作（たとえば、落下操作）が観客に気づかれてしまうためである。
【０１２４】
なお、ステップＳ２６の映像投影段階は、どの時点で開始してどの時点で終了してもかまわない。これは、透明スクリーン２１０上の映像投影は、効果的な演出を行うことを目的としたものであり、実体物の出現という現象に直接関与するものではないためである。図７，図８に示す例の場合、ステップNo.２で映像投影が開始し、その後、ステップNo.４まで映像投影が継続することになっている。これは、演技者１０の出現前から出現後に至るまで、星型マーク２０や煙２６，２７などの映像を表示して、出現現象に対してより効果的な演出効果を奏するための配慮である。
【０１２５】
このように、演出上の効果を期待する上では、ステップＳ２１の遮蔽幕配置段階、ステップＳ２２の照明消灯段階、ステップＳ２３の実体物配置段階を行った後に、ステップＳ２６の映像投影段階を開始し、このステップＳ２６の映像投影段階を行った後に、透明スクリーン２１０への映像投影を継続したままステップＳ２４の遮蔽幕退避段階およびステップＳ２５の照明点灯段階を行い、ステップＳ２５の照明点灯段階の後にも引き続き透明スクリーン２１０への映像投影が行われるようにするのが好ましい。図７，図８は、そのような方法を採った場合の実施例であり、ステップＳ２４の遮蔽幕退避段階の前の段階（ステップNo.２の段階）から映像投影を開始し、ステップＳ２５の照明点灯段階（ステップNo.４の段階）まで映像投影を継続させている。
【０１２６】
＜＜＜  §６．  本発明に係る舞台上での実体物の消失方法  ＞＞＞
続いて、本発明を「舞台上での実体物の消失方法」という方法発明として把握し、その具体的な手順を説明する。図１０は、この消失方法の手順を示す流れ図であり、実体物と映像とをコラボレーションしたパフォーマンスを行う際に、当該実体物を舞台上で消失させる方法の手順ということになる。
【０１２７】
図１０に示すとおり、この消失方法は、ステップＳ１０「舞台設定プロセス」と、ステップＳ３０「パフォーマンス実行プロセス」という２つのプロセスを有している。ここで、ステップＳ１０「舞台設定プロセス」は、パフォーマンスが始まる前に済ませておくべき準備プロセスというべきものであるが、§５で述べた出現方法のステップＳ１０（図９のステップＳ１０）と全く同じプロセスであるため、ここでは説明は省略する。
【０１２８】
ステップＳ１０「舞台設定プロセス」が完了したら、続いて、ステップＳ３０「パフォーマンス実行プロセス」が実行される。このステップＳ３０「パフォーマンス実行プロセス」は、舞台１００上で「実体物（演技者１０）の消失」というパフォーマンスを行う際に実行されるプロセスであり、図にステップＳ３１〜Ｓ３６として示されている次の各段階を有している。
【０１２９】
ステップＳ３１：ステップＳ１４で用意した遮蔽幕２４０を、観客席１４０からの演技空間ＰＳに対する視界を妨げない位置に配置する遮蔽幕配置段階である。たとえば、図４参照。このような遮蔽幕２４０の配置は、§１〜§３において、退避状態と呼ばれている配置である。なお、ステップＳ１４の遮蔽幕用意段階において、遮蔽幕２４０を退避状態とする準備が既に行われていた場合には、ステップＳ１４の遮蔽幕用意段階がステップＳ３１の遮蔽幕配置段階を兼ねることになる。
【０１３０】
ステップＳ３２：演技空間照明装置２３０を点灯状態にする照明消灯段階。たとえば、図４参照。
【０１３１】
ステップＳ３３：演技空間ＰＳ内に実体物を配置する実体物配置段階である。演技者１０が消失対象の実体物となる場合は、たとえば、図４に示すように、演技者１０は消失位置に立って「消失現象」の前段階のパフォーマンスを行うことになる。ステップＳ３２において、演技空間照明装置２３０を点灯状態にすれば、演技空間ＰＳ内の演技者１０に照明が当たり、観客は、消失直前の演技者１０を注視した状態になる。このとき、ステップＳ３６の映像投影段階が実行されていると、図７，図８のステップNo.４に示すように、観客には、演技者１０とともに映像２０，２５が観察される。
【０１３２】
ステップＳ３４：ステップＳ３２で点灯状態にした演技空間照明装置２３０を消灯状態にする照明消灯段階である。このステップＳ３４の実行により、図７，図８のステップNo.４からステップNo.３への移行が行われる。これにより、消失位置でパフォーマンスを行っていた演技者１０に対する照明が突然消えるため、観客から見ると、たとえば、図７，図８のステップNo.３の「観客から見た状態」に示すように、実体物としての演技者１０が消失したように見える。
【０１３３】
ステップＳ３５：遮蔽幕２４０を、透明スクリーン２１０と演技空間ＰＳとの間の、観客席１４０からの視界から演技空間ＰＳを覆い隠す位置に移動する遮蔽幕移動段階である。すなわち、ステップＳ３１で退避状態となるように配置しておいた遮蔽幕２４０（たとえば、図４の遮蔽幕２４０Ｂ）を、遮蔽状態（たとえば、図３の遮蔽幕２４０Ａ）とするステップである。このステップＳ３５の実行により、図７，図８のステップNo.３からステップNo.２への移行が行われる。
【０１３４】
このステップＳ３５を実行する具体的な方法として、最も単純な方法は、既に§３(1) ，(2) で述べたとおり、遮蔽幕２４０を床から持ち上げる方法である。この場合、ステップＳ３１の遮蔽幕配置段階では、遮蔽幕２４０を、透明スクリーン２１０と演技空間ＰＳとの間の舞台床面上（床面用の吸光性層２６０の上）に寝かした状態で配置しておくようにする。そうすれば、ステップＳ３５の遮蔽幕移動段階では、遮蔽幕２４０の上辺２４１を舞台上の所定の高さ位置まで持ち上げ、遮蔽幕２４０をこの上辺２４１から垂下させることにより、遮蔽幕２４０が演技空間ＰＳを覆い隠すようにすることができる。遮蔽幕２４０を持ち上げる方法としては、２人の作業者が手で上辺２４１のそれぞれ左右の隅を摘んで持ち上げるようにしてもよいし、§３(3) で述べたように巻上装置を利用して引き上げるようにしてもよい。
【０１３５】
ステップＳ３６：プロジェクタ２２０により、透明スクリーン２１０に映像を投影する映像投影段階である。たとえば、図７，図８の「観客から見た状態」に示すような動画（ステップNo.４→No.３→No.２という逆順の動画）が投影される。
【０１３６】
以上、ステップＳ３１〜Ｓ３６を含むパフォーマンス実行プロセスＳ３０を説明したが、ここで、各ステップＳ３１〜Ｓ３６の各段階の実行順序は次のとおりである。
【０１３７】
まず、遮蔽幕配置段階Ｓ３１、照明消灯段階Ｓ３２、実体物配置段階Ｓ３３の３つの段階の実行順序であるが、舞台１００の緞帳を下ろした状態（すなわち、観客席１４０からは、舞台１００上が全く見えない状態）で、これら３つの段階を実行するのであれば、これらの実行順序はどのようなものであってもかまわない。たとえば、演技者１０の消失パフォーマンスが始まる前に、緞帳が下りた状態になっており、その状態でステップＳ３１〜３３を行うのであれば、各段階の実行操作が観客に認識されることはないので、順不同でかまわない。演技者１０の消失パフォーマンスは、ステップＳ３１〜３３の実行後に緞帳を上げた状態からスタートすることになる。
【０１３８】
ただ、一般的には、演技者１０がいくつかのマジックの実演を行った後、最後に、当該演技者１０が消失する、というパフォーマンスを行うことが多いであろう。そのような場合は、何らかの機会を利用して（たとえば、舞台が暗転となったとき）、まず、ステップＳ３１の遮蔽幕配置段階を実行し、たとえば、図４に示すように、遮蔽幕２４０を、床面用の吸光性層２６０の上に寝かした状態で配置しておくようにする。その後、ステップＳ３２の照明点灯段階およびステップＳ３３の実体物配置段階を行い、舞台１００上に登場した演技者１０が、照明下でいくつかのマジックの実演を行うようにすればよい。
【０１３９】
一方、ステップＳ３４の照明消灯段階は、少なくとも、ステップＳ３１の遮蔽幕配置段階、ステップＳ３２の照明点灯段階、およびステップＳ３３の実体物配置段階を行った後に、行う必要がある。これは、ステップＳ３１の遮蔽幕配置段階は、図７，図８の実施例（ステップNo.４〜ステップNo.１への逆順をとる）において、ステップNo.３からステップNo.２へと移行する操作を行う上で必要であり、ステップＳ３２の照明点灯段階およびステップＳ３３の実体物配置段階は、消失現象の直前の状態を観客に見せておくために必要であるためである。
【０１４０】
そして、ステップＳ３５の遮蔽幕移動段階は、ステップＳ３４の照明消灯段階の後に行う必要がある。これは、前述したとおり、遮蔽幕移動段階を行う際に、演技空間照明装置２３０が点灯状態になっていると、遮蔽幕２４０の遮蔽状態への移動操作（たとえば、持ち上げ操作）が観客に気づかれてしまうためである。
【０１４１】
なお、ステップＳ２６の映像投影段階は、どの時点で開始してどの時点で終了してもかまわない。これは、透明スクリーン２１０上の映像投影は、効果的な演出を行うことを目的としたものであり、実体物の消失という現象に直接関与するものではないためである。図７，図８に示す例の場合、ステップNo.４で映像投影が開始し、その後、ステップNo.３を経てステップNo.２まで映像投影が継続することになっている。これは、演技者１０の消失前から消失後に至るまで、星型マーク２０、魔法のランプ２５，煙２６，２７などの映像を表示して、消失現象に対してより効果的な演出効果を奏するための配慮である。
【０１４２】
このように、演出上の効果を期待する上では、ステップＳ３１の遮蔽幕配置段階、ステップＳ３２の照明消灯段階、ステップＳ３３の実体物配置段階を行った後に、ステップＳ３６の映像投影段階を行い、更に、その後に、透明スクリーン２１０への映像投影を継続したままステップＳ３４の照明消灯段階およびステップＳ３５の遮蔽幕移動段階を行い、遮蔽幕移動段階の後にも引き続き透明スクリーン２１０への映像投影が行われるようにするのが好ましい。図７，図８は、そのような方法を採った場合の実施例（ステップNo.４〜ステップNo.１への逆順をとる）であり、ステップNo.４から映像投影を開始し、ステップNo.２まで映像投影を継続させている。
【符号の説明】
【０１４３】
１０：演技者（実体物）
２０：星型マーク（映像）
２５：魔法のランプ（映像）
２６：雲型煙（映像）
２７：人型煙（映像）
１００：舞台
１１０：ホリゾント幕
１２１：下手側袖幕
１２２：上手側袖幕
１２３：水引幕
１３０：舞台階段
１４０：観客席
２００：舞台装置
２１０：透明スクリーン
２２０：プロジェクタ
２２１：投影光
２３０：演技空間照明装置
２４０：遮蔽幕
２４０Ａ：遮蔽状態の遮蔽幕
２４０Ｂ：退避状態の遮蔽幕
２４１：遮蔽幕の上辺
２５０：背面用の吸光性層
２６０：床面用の吸光性層
３１１，３１２：ループ紐
３１３：保持具本体部
３１４：保持具フック部
３１５：保持具本体部
３１６：保持具フック部
３２１，３２２：吊り紐
３２３，３２４：巻上装置
Ｂ：背面側
Ｆ：正面側
ｈ：所定の高さ
ＰＳ：演技空間
Ｓ１０〜Ｓ３６：流れ図の各プロセスもしくは各段階
【要約】
【課題】映像と実体物とをコラボレーションした舞台において、実体物が出現もしくは消失する演出を行う。
【解決手段】舞台１００の前面に透明スクリーン２１０を配置し、その背面に遮蔽幕２４０Ａを配置する。舞台１００の背面および床面には、吸光性層２５０，２６０を配置する。観客席１４０の上方には、プロジェクタ２２０が配置される。照明装置２３０を消灯状態にし、演技者（マジシャン）１０が、演技空間ＰＳにスタンバイする。プロジェクタ２２０から映像の投影を開始し、観客に、透明スクリーン２１０上の映像を提示する。続いて、遮蔽幕２４０Ａを吸光性層２６０上に落下させた後、照明装置２３０を点灯状態にすると、観客の視界には、映像とともに演技者１０が目に入ることになり、演技者１０が突然出現したように見える。逆の手順により、演技者１０が消失したように見える演出もできる。
【選択図】図３【図１】
0006683967.tif 000002
【図２】
0006683967.tif 000003
【図３】
0006683967.tif 000004
【図４】
0006683967.tif 000005
【図５】
0006683967.tif 000006
【図６】
0006683967.tif 000007
【図７】
0006683967.tif 000008
【図８】
0006683967.tif 000009
【図９】
0006683967.tif 000010
【図１０】
0006683967.tif 000011